(57)【特許請求の範囲】
【請求項１】
刈取作物の株元を挟持搬送する右および左の株元搬送チェーンと該右および左の株元搬送チェーンの後方に位置する搬送装置とを備えて、刈取作物が、前記右の株元搬送チェーンにおける搬送始端部から搬送終端部までの搬送経路および前記左の株元搬送チェーンにおける搬送始端部から搬送終端部までの搬送経路に沿って搬送されるに伴って、刈取作物が中央側に合流して前記搬送装置に受け渡されるように構成してあるコンバインの刈取部であって、
前記右の株元搬送チェーンにおける搬送終端部から搬送始端部への戻り経路に右の駆動スプロケットを設け、当該戻り経路のうち前記右の駆動スプロケットから当該搬送終端部側への部分の上方を覆う右のカバーを設け、かつ、
前記左の株元搬送チェーンにおける搬送終端部から搬送始端部への戻り経路に左の駆動スプロケットを設け、当該戻り経路のうち前記左の駆動スプロケットから当該搬送終端部側への部分の上方を覆う左のカバーを設けてあるコンバインの刈取部。
【請求項２】
刈取部フレームから左右方向に延びるカウンタケースから上方に延びて引起装置に接続される右および左の伝動ケースを備え、
前記右および左の夫々の伝動ケースには、開口が形成され、前記右および左の夫々の伝動ケースには、引起伝動軸が内装され、
前記右の引起伝動軸には、前記右の駆動スプロケットが一体回動可能に、前記右の開口に臨んで取り付けられ、前記左の引起伝動軸には、前記左の駆動スプロケットが一体回動可能に、前記左の開口に臨んで取り付けられ、
前記右の株元搬送チェーンは、前記右の伝動ケースの開口を通しつつ、前記右の駆動スプロケットを巻回し、前記左の株元搬送チェーンは、前記左の伝動ケースの開口を通しつつ、前記左の駆動スプロケットを巻回するように構成してあり、
前記右のカバーの端部を、前記右の伝動ケースの開口近傍に取り付け、前記左のカバーの端部を、前記左の伝動ケースの開口近傍に取り付けてある請求項１に記載のコンバインの刈取部。
【請求項３】
前記右および左の夫々の伝動ケースにおける、前記駆動スプロケットが取り付けられる部分が、第１ケース部と第２ケース部とからなる周方向での分割式に構成され、
前記右の伝動ケースにおける前記第１ケース部と前記第２ケース部とが連結具によって連結され、当該連結具によって前記右のカバーが前記右の伝動ケースに連結され、
前記左の伝動ケースにおける前記第１ケース部と前記第２ケース部とが連結具によって連結され、当該連結具によって前記左のカバーが前記左の伝動ケースに連結されている請求項２に記載のコンバインの刈取部。
【請求項４】
前記右および左の夫々の前記駆動スプロケットにおける直上側および直下側の少なくともいずれか一方を覆うカラーを、前記駆動スプロケットおよび前記引起伝動軸に対して遊転可能に外挿してある請求項２又は３に記載のコンバインの刈取部。
【発明の詳細な説明】
【技術分野】
【０００１】
本発明は、刈取作物を中央側に合流させて搬送装置に受け渡すように構成したコンバインの刈取部に関する。
【背景技術】
【０００２】
従来のコンバインの刈取部では、刈取作物の株元を挟持搬送する右および左の株元搬送チェーンと、右および左の夫々の株元搬送チェーンに巻回されるスプロケットと、を備えて、刈取作物が右の株元搬送チェーンにおける搬送始端部から搬送終端部までの搬送経路および左の株元搬送チェーンにおける搬送始端部から搬送終端部までの搬送経路に沿って搬送されるものがあった（例えば、特許文献１参照。）。
【先行技術文献】
【特許文献】
【０００３】
【特許文献１】特開２００１−０９５３５５号公報
【発明の概要】
【発明が解決しようとする課題】
【０００４】
従来のコンバインの刈取部において、刈取部の刈取動作に伴ってワラ屑等が巻き上げられ、巻き上げられたワラ屑等が降下して、右の株元搬送チェーンにおける搬送終端部から搬送始端部への戻り経路および左の株元搬送チェーンにおける搬送終端部から搬送始端部への戻り経路の上面に付着することがある。このような状態になると、例えば、付着したワラ屑等が株元搬送チェーンによってスプロケットまで搬送され、ワラ屑等がスプロケットに絡みついて株元搬送チェーンがスプロケットから脱落する虞がある等、刈取作物を良好に搬送することができない虞があった。また、株元搬送チェーンがスプロケットから脱落することを防止するためにスプロケットの掃除等を頻繁に行なう必要がある等、メンテナンス作業が煩雑になるものであった。
【０００５】
本発明の目的は、ワラ屑が株元搬送チェーンに付着することを防止することができ、メンテナンス作業の簡素化をはかりながら刈取作物を良好に搬送することができるコンバインの刈取部を提供する点にある。
【課題を解決するための手段】
【０００６】
本発明のコンバインの刈取部は、刈取作物の株元を挟持搬送する右および左の株元搬送チェーンと該右および左の株元搬送チェーンの後方に位置する搬送装置とを備えて、刈取作物が、前記右の株元搬送チェーンにおける搬送始端部から搬送終端部までの搬送経路および前記左の株元搬送チェーンにおける搬送始端部から搬送終端部までの搬送経路に沿って搬送されるに伴って、刈取作物が中央側に合流して前記搬送装置に受け渡されるように構成してあるものであって、
その第１特徴構成は、前記右の株元搬送チェーンにおける搬送終端部から搬送始端部への戻り経路に右の駆動スプロケットを設け、当該戻り経路のうち前記右の駆動スプロケットから当該搬送終端部側への部分の上方を覆う右のカバーを設け、かつ、
前記左の株元搬送チェーンにおける搬送終端部から搬送始端部への戻り経路に左の駆動スプロケットを設け、当該戻り経路のうち前記左の駆動スプロケットから当該搬送終端部側への部分の上方を覆う左のカバーを設けてある点にある。
【０００７】
本構成によれば、ワラ屑等が右および左の株元搬送チェーンにおける戻り経路の上面に付着することを防止でき、例えば、付着したワラ屑等が右および左の株元搬送チェーンによってスプロケットまで搬送され、ワラ屑等がスプロケットに絡みついて株元搬送チェーンがスプロケットから脱落することを防止できる等、刈取作物を良好に搬送することができる。また、株元搬送チェーンがスプロケットから脱落することを防止するためにスプロケットの掃除等を頻繁に行なう必要がない等、メンテナンス作業の回数を低減することができる。
【０００８】
本発明の第２特徴構成は、刈取部フレームから左右方向に延びるカウンタケースから上方に延びて引起装置に接続される右および左の伝動ケースを備え、  前記右および左の夫々の伝動ケースには、開口が形成され、前記右および左の夫々の伝動ケースには、引起伝動軸が内装され、前記右の引起伝動軸には、前記右の駆動スプロケットが一体回動可能に、前記右の開口に臨んで取り付けられ、前記左の引起伝動軸には、前記左の駆動スプロケットが一体回動可能に、前記左の開口に臨んで取り付けられ、前記右の株元搬送チェーンは、前記右の伝動ケースの開口を通しつつ、前記右の駆動スプロケットを巻回し、前記左の株元搬送チェーンは、前記左の伝動ケースの開口を通しつつ、前記左の駆動スプロケットを巻回するように構成してあり、前記右のカバーの端部を、前記右の伝動ケースの開口近傍に取り付け、前記左のカバーの端部を、前記左の伝動ケースの開口近傍に取り付けてある点にある。
【０００９】
本構成によれば、右のカバーの端部を右の伝動ケースの開口近傍に取り付け、左のカバーの端部を左の伝動ケースの開口近傍に取り付ければ、カバーの端部を伝動ケースの開口に十分に近接させることができ、カバーの端部と伝動ケースの開口との間に隙間が生じることを防止できる。その結果、ワラ屑が右および左の伝動ケースの開口から右および左の伝動ケースの内部に入り込むことを防止することができて、刈取作物を一層良好に搬送することができる。
【００１０】
本発明の第３特徴構成は、前記右および左の夫々の伝動ケースにおける、前記駆動スプロケットが取り付けられる部分が、第１ケース部と第２ケース部とからなる周方向での分割式に構成され、前記右の伝動ケースにおける前記第１ケース部と前記第２ケース部とが連結具によって連結され、当該連結具によって前記右のカバーが前記右の伝動ケースに連結され、前記左の伝動ケースにおける前記第１ケース部と前記第２ケース部とが連結具によって連結され、当該連結具によって前記左のカバーが前記左の伝動ケースに連結されている点にある。
本発明の第４特徴構成は、前記右および左の夫々の前記駆動スプロケットにおける直上側および直下側の少なくともいずれか一方を覆うカラーを、前記駆動スプロケットおよび前記引起伝動軸に対して遊転可能に外挿してある点にある。
【００１１】
本構成によれば、右および左の夫々のスプロケットにおける直上側および直下側の少なくともいずれか一方を覆うカラーを、スプロケットおよび引起伝動軸に対して遊転可能に外挿してあるので、万一ワラ屑等がスプロケットに絡みついたとしても、刈取部（引起伝動軸）を停止させた状態で、ワラ屑等を引っ張ることにより、カラーがワラ屑等と共に回転してワラ屑等を簡単に引き出し除去することができる。
【図面の簡単な説明】
【００１２】
【図１】コンバインを示す側面図である。
【図２】第１搬送装置および第２搬送装置を示す概略図である。
【図３】刈取部を示す平面図である。
【図４】カウンタケースおよび引起ケースを示す横断面図である。
【図５】株元搬送チェーンおよびカバーを示す平面図である。
【図６】刈取部を示す側面図である。
【図７】駆動スプロケットおよびカラーを示す縦断面図である。
【図８】操作力付与機構を示す縦断面図である。
【図９】操作力付与機構を示す横断面図である。
【発明を実施するための形態】
【００１３】
以下、本発明に係るコンバインについて説明する。
【００１４】
〔全体構成〕
図１に示すように、コンバインは、左右のクローラ走行装置１を備えた走行機体２と、その走行機体２の前部上部に昇降可能に連結された刈取部３と、走行機体２の右側前部に設けられた運転部４と、走行機体２の左側後部に搭載された脱穀装置５と、走行機体２の右側後部に搭載された穀粒回収タンク６と、その穀粒回収タンク６の後部に設けられた穀粒排出オーガ７と、脱穀装置５および穀粒排出オーガ７の後部に搭載された排ワラ処理装置８と、を備えている。
【００１５】
〔刈取部〕
図１〜図６に示すように、前記刈取部３は、植立作物を分草する４つのデバイダ１１Ａ〜１１Ｄと、分草された植立作物を所定の刈取り姿勢に引起す３つの引起装置１２Ｒ，１２Ｃ，１２Ｌと、引起装置１２により引起した植立作物を切断するバリカン型の刈取装置１３と、切断された植立作物を後方に搬送する第１搬送装置７１および第２搬送装置７２（搬送装置の一例）と、を備えている。
【００１６】
（刈取部を構成する各種ケース）
図１〜図６に示すように、前記刈取部３は、刈取軸（図示しない）が内装された横向きのギヤケース２１と、第１伝動軸２２が内装されてそのギヤケース２１の中央部から前方下方に延びる刈取部フレーム２３と、第２伝動軸２４が内装されて刈取部フレーム２３の下端部から左右方向に延びるカウンタケース２５と、第３伝動軸２６（右の引起伝動軸の一例）が内装されてカウンタケース２５の右端部から上方に延びる右の引起ケース２７Ｒ（右の伝動ケースの一例）と、第４伝動軸２８が内装されてカウンタケース２５の中央部から前方に延びる接続ケース２９と、第５伝動軸３０（中央の引起伝動軸の一例）が内装されて接続ケース２９の先端部から上方に延びる中央の引起ケース２７Ｃ（中央の伝動ケースの一例）と、第６伝動軸３１（左の引起伝動軸の一例）が内装されてカウンタケース２５の左端部から上方に延びる左の引起ケース２７Ｌ（左の伝動ケースの一例）と、を備えている。
【００１７】
具体的には、前記右の引起ケース２７Ｒは、筒状の上部ケース４１と前後２分割式の下部ケース（右の伝動ケースにおける駆動スプロケットが取り付けられる部分に相当）４２とを備えている。下部ケース４２は、前ケース部（第１ケース部に相当）４２Ａと、後ケース部（第２ケース部に相当）４２Ｂと、それら両ケース部４２Ａ,４２Ｂのフランジ部の外側を覆う断面形状がコ字状のチャンネル部材４３とを備えている。複数のボルト（連結具に相当）４４によって両ケース部４２Ａ,４２Ｂのフランジ部とチャンネル部材４３の折曲部分とを共締め固定してある。第３伝動軸２６は、上下２分割式に構成してあり、上部ケース４１には第３伝動軸２６の上側部分が内装され、下部ケース４２には第３伝動軸２６の下側部分が内装されている。下部ケース４２の中間には、第３伝動軸２６の下側部分の中間部に固定された右の駆動スプロケット４５Ｒ（右のスプロケットの一例）を収容する平面視で四角状の箱状の膨出部４６が形成されている。膨出部４６とチャンネル部材４３との間には、前後方向に並ぶ２つの開口部分からなる右の開口４７Ｒが形成されている。
【００１８】
前記膨出部４６には、上下方向に貫通する軸芯部材４８が取り付けられている。軸芯部材４８の外側には、ばね４９が装備されている。ばね４９の一端部が膨出部４６に固定されるとともに、ばね４９の他端側の湾曲部４９Ａが後述する右の株元搬送チェーン７８Ｒに当接する。これにより、右の株元搬送チェーン７８Ｒが右の駆動スプロケット４５Ｒから外れることを防止するように構成してある。
【００１９】
前記左の引起ケース２７Ｌは、右の引起ケース２７Ｒと同様の構成であり、筒状の上部ケース４１と前後２分割式の下部ケース（左の伝動ケースにおける駆動スプロケットが取り付けられる部分に相当）４２とを備えている。下部ケース４２は、前ケース部（第１ケース部に相当）４２Ａと、後ケース部（第２ケース部に相当）４２Ｂと、それら両ケース部４２Ａ,４２Ｂのフランジ部の外側を覆う断面形状がコ字状のチャンネル部材４３とを備えている。複数のボルト（連結具に相当）４４によって両ケース部４２Ａ,４２Ｂのフランジ部とチャンネル部材４３とを共締め固定してある。第６伝動軸３１は、上下２分割式に構成してあり、上部ケース４１には第６伝動軸３１の上側部分が内装され、下部ケース４２には第６伝動軸３１の下側部分が内装されている。下部ケース４２の途中には、第６伝動軸３１の下側部分の中間部に固定された左の駆動スプロケット４５Ｌ（左のスプロケットの一例）を収容する平面視で四角状の箱状の膨出部４６が形成されている。膨出部４６とチャンネル部材４３との間には、前後方向に並ぶ２つの開口部分からなる左の開口４７Ｌが形成されている。
【００２０】
前記膨出部４６には、上下方向に貫通する軸芯部材４８が取り付けられている。軸芯部材４８の外側には、ばね４９が装備されている。ばね４９の一端部が膨出部４６に固定されるとともに、ばね４９の他端側の湾曲部４９Ａが後述する左の株元搬送チェーン７８Ｌに当接する。これにより、左の株元搬送チェーン７８Ｌが左の駆動スプロケット４５Ｌから外れることを防止するように構成してある。
【００２１】
（カラー）
図７に示すように、前記右の駆動スプロケット４５Ｒは、膨出部４６の下部に回動可能に支持された円筒状の軸部分３２とその軸部分３２の上端部に形成された爪部分である回転部分３３とを備えている。右の駆動スプロケット４５Ｒにおける直上側（第３伝動軸２６における膨出部４６の上部と右の駆動スプロケット４５Ｒの回転部分３３との間）を覆う円筒状の上部カラー３４（カラーの一例）を、第３伝動軸２６に対して遊転可能に外挿してある。右の駆動スプロケット４５Ｒにおける直下側（右の駆動スプロケット４５Ｒの軸部分３２）を覆う円筒状の下部カラー３５（カラーの一例）を、右の駆動スプロケット４５Ｒの軸部分３２に対して遊転可能に外挿してある。
【００２２】
前記左の駆動スプロケット４５Ｌは、膨出部４６の下部に回動可能に支持された円筒状の軸部分３２とその軸部分３２の上端部に形成された爪部分である回転部分３３とを備えている。左の駆動スプロケット４５Ｌにおける直上側（第６伝動軸３１における膨出部４６の上部と左の駆動スプロケット４５Ｌの回転部分３３との間）を覆う円筒状の上部カラー３４（カラーの一例）を、第６伝動軸３１に対して遊転可能に外挿してある。左の駆動スプロケット４５Ｌにおける直下側（左の駆動スプロケット４５Ｌの軸部分３２）を覆う円筒状の下部カラー３５（カラーの一例）を、左の駆動スプロケット４５Ｌの軸部分３２に対して遊転可能に外挿してある。これにより、万一ワラ屑等が右および左の駆動スプロケット４５Ｒ，４５Ｌに絡みついたとしても、第３および第６伝動軸２６，３１を停止させた状態で、ワラ屑等を引っ張ることにより、上部カラー３４および下部カラー３５がワラ屑等と共に回転してワラ屑等を簡単に引き出し除去することができる。
【００２３】
（操作力付与機構）
図８，９に示すように、前記刈取部３の刈取部フレーム２３と、走行機体２の機体フレーム１０３の前端部とに亘って、刈取部３を揺動支点Ｘ周りに上下揺動操作する油圧シリンダＣＹが介装されている。走行機体２の機体フレーム１０３の前端部には、バランスばね１２１を備えて刈取部３に上昇操作力を付与する操作力付与機構ＳＫが取り付けられており、刈取部フレーム２３に固定されたばね当て部１２２が操作力付与機構ＳＫに分離可能に接当支持される。この操作力付与機構ＳＫによって刈取部３に上昇操作力を付与することにより、刈取部３のデバイダ１１Ａ〜１１Ｄが圃場面に入り込むことを防止しつつ、刈取部３の下部が圃場面に接触した状態で刈取作業（いわゆる接地刈り）を行うことができる。
【００２４】
前記操作力付与機構ＳＫは、油圧シリンダＣＹよりも上方側の部位に横方向に並べて設けた２つのバランスばね１２１、刈取部フレーム２３の後方側に設けたばね当て部１２２を備えて構成してある。尚、バランスばね１２１は、可撓性を備えたばねカバー（図示しない）によって覆われている。
【００２５】
前記２つのバランスばね１２１の夫々には、ばねホルダー１２４が取り付けられている。ばねホルダー１２４は、バランスばね１２１の先端側に係止筒部１２８ａが入り込んで係止した先端側ホルダー１２８、バランスばね１２１の基端側に係止筒部１２５ａが入り込んで係止した基端側ホルダー１２５、係止筒部１２８ａ，１２５ａどうしを締め付け連結する連結ロッド１２９を備えて構成してある。これにより、バランスばね１２１は、初期圧縮変形状態を維持している。
【００２６】
前記機体フレーム１０３には、ばね受け台１２６が固定されている、ばね受け台１２６の座板１２６ａによってばねホルダー１２４の基端側ホルダー１２５が受け止め支持されている。ばね受け台１２６の座板１２６ａには、２つのばね伸縮ガイド杆１２７が取り付けられて前方に延出されている。２つのばね伸縮ガイド杆１２７の夫々は、基端側ホルダー１２５及び先端側ホルダー１２８を挿通し、先端側ホルダー１２８から突出している。
【００２７】
前記先端側ホルダー１２８のばね当て部１２２側の面には、複数の荷重調整用の平板状のシム１３１が積層する状態でボルト連結されている。シム１３１の数を増減することにより、刈取部３の上昇操作力を調整することができる。これにより、刈取部３を取り外さなくても、刈取部３を上方に揺動するだけの簡単な操作でシム１３１の数を増減することができる。
【００２８】
前記先端側ホルダー１２８のガイド穴部には、伸縮ガイド杆１２７の先端部を貫通する状態で筒状の樹脂製のブッシュ１３２が取り付けられている。ブッシュ１３２の内周部には、複数のリブ（図示しない）が軸芯方向に沿って形成されている。これにより、ブッシュ１３２と伸縮ガイド杆１２７との滑りをよくして伸縮ガイド杆１２７の磨耗を防止することができる。さらに、伸縮ガイド杆１２７が先端側ホルダー１２８のガイド穴部に引っ掛かってバランスばね１２１が撓むことを防止できる。
【００２９】
（刈取部に取り付けられた各種装置）
図１〜６に示すように、前記カウンタケース２５の右端部から平面視で略Ｌ字状の第１刈取フレーム５１が前方に延びている。カウンタケース２５の右寄り箇所から直線状の第２刈取フレーム５２が前方に延びている。カウンタケース２５の左寄り箇所から直線状の第３刈取フレーム５３が前方に延びている。カウンタケース２５の左端部から平面視で略Ｌ字状の第４刈取フレーム５４が前方に延びている。それら刈取フレーム５１〜５４に亘ってバリカン式の刈取装置１３が取り付けられている。
【００３０】
前記第１刈取フレーム５１の先端部には、デバイダ１１Ａおよび右側取付フレーム５５が固定されている。右側取付フレーム５５は、基端側の取付部分と先端側の折曲部分とを備えて、正面視で略Ｌ字状に構成してある。右側取付フレーム５５の折曲部分の先端部、および、右の引起ケース２７Ｒにおける上部ケース４１の上端部は、右の引起装置１２Ｒの裏側に連結されており、それら右側取付フレーム５５および右の引起ケース２７Ｒによって、右の引起装置１２Ｒが支持されている。
【００３１】
前記右側取付フレーム５５の途中には、右側連結パイプ５６が連結されている。右側連結パイプ５６は、平面視でくの字状に折れ曲がった前後向きの第１部分と、チャンネル部材４３に連結された上下向きの第２部分と、後述する後側支持ブラケット１４６に連結された横向きの第３部分とを備えている。右側連結パイプ５６の第１部分の左側には、右側支持ブラケット１４１が固定されている。右側支持ブラケット１４１の前側部分の下側には、上下向きの右側軸芯部材１４２が支持され、その右側軸芯部材１４２には、上から順に後述する駆動プーリ８１、第２従動スプロケット７７、右の掻込回転パッカー７５Ｒが回転可能に支持されている。
【００３２】
前記第２刈取フレーム５２の先端部には、デバイダ１１Ｂおよび植立作物をガイドする複数の搬送ガイド５７が固定されている。
【００３３】
前記第３刈取フレーム５３の先端部には、デバイダ１１Ｃ、中央取付フレーム５８、および植立作物をガイドする複数の搬送ガイド５９が固定されている。中央取付フレーム５８は、基端側の取付部分と先端側の折曲部分とを備えて、正面視で略Ｌ字状に構成してある。中央取付フレーム５８の折曲部分の先端部、および、中央の引起ケース２７Ｃの上端部は、中央の引起装置１２Ｃの裏側に連結されており、それら中央取付フレーム５８および中央の引起ケース２７Ｃによって、中央の引起装置１２Ｃが支持されている。
【００３４】
前記中央取付フレーム５８と中央の引起ケース２７Ｃとに亘って前側支持ブラケット（図示しない）が連結されている。前側支持ブラケットの前側部分の下側には、上下向きの中央軸芯部材１４３が支持され、その中央軸芯部材１４３には、上から順に後述する駆動プーリ８４、中央の掻込回転パッカー７５Ｃが回転可能に支持されている。
【００３５】
前記第４刈取フレーム５４の先端部には、デバイダ１１Ｄおよび左側取付フレーム６０が固定されている。左側取付フレーム６０は、基端側の取付部分と先端側の折曲部分とを備えて、正面視で略Ｌ字状に構成してある。左側取付フレーム６０の折曲部分の先端部、および、左の引起ケース２７Ｌにおける上部ケース４１の上端部は、左の引起装置１２Ｌの裏側に連結されており、それら左側取付フレーム６０および左の引起ケース２７Ｌによって、左の引起装置１２Ｌが支持されている。
【００３６】
前記左側取付フレーム６０の取付部分の途中には、左側連結パイプ６１が連結されている。左側連結パイプ６１は、平面視でくの字状に折れ曲がった前後向きの第１部分と、チャンネル部材４３に連結された上下向きの第２部分とを備えている。左側連結パイプ６１の第１部分の右側には、左側支持ブラケット１４４が固定されている。左側連結パイプ６１の第２部分の途中には、後述するチェーンガイド部８０が固定されている。左側支持ブラケット１４４の前側部分の下側には、上下向きの左側軸芯部材１４５が支持され、その左側軸芯部材１４５には、上から順に後述する駆動プーリ８７、従動スプロケット７９、左の掻込回転パッカー７５Ｌが回転可能に支持されている。
【００３７】
前記刈取部フレーム２３の下端部には、後側支持ブラケット１４６が取り付けられている。後側支持ブラケット１４６の下側には、上下向きの後側軸芯部材１４７が支持され、その後側軸芯部材１４７には、後述する第１従動スプロケット７６が回転可能に支持されている。
【００３８】
（第１搬送装置）
図２〜図６に示すように、第１搬送装置７１は、植立作物の株元側を挟持して搬送する挟持搬送機構７３と、植立作物の穂先側を係止して搬送する係止搬送機構７４と、植立作物の株元側を掻き込む掻込機構７５とを備えている。
【００３９】
前記挟持搬送機構７３は、右の挟持搬送部分７３Ｒと左の挟持搬送部分７３Ｌとを備えている。右の株元挟持搬送部分７３Ｒは、右の駆動スプロケット４５Ｒと、第１従動スプロケット７６と、第２従動スプロケット７７と、それらスプロケット４５Ｒ，７６，７７に亘って巻回された右の株元搬送チェーン７８Ｒと、を備えている。左の株元挟持搬送部分７３Ｌは、左の駆動スプロケット４５Ｌと、従動スプロケット７９と、チェーンガイド部８０と、それらスプロケット４５Ｌ，７９およびチェーンガイド部８０に亘って巻回された左の株元搬送チェーン７８Ｌと、を備えている。
【００４０】
前記係止搬送機構７４は、右の係止搬送部分７４Ｒと中央の係止搬送部分７４Ｃと左の係止搬送部分７４Ｌとを備えている。右の係止搬送部分７４Ｒは、駆動プーリ８１と従動プーリ８２とそれらプーリ８１，８２に亘って巻回された突起付きベルト８３とを備えている。中央の係止搬送部分７４Ｃは、駆動プーリ８４と従動プーリ８５とそれらプーリ８４，８５に亘って巻回された突起付きベルト８６とを備えている。左の係止搬送部分７４Ｌは、駆動プーリ８７と従動プーリ８８とそれらプーリ８７，８８に亘って巻回された突起付きベルト８９とを備えている。
【００４１】
前記掻込機構７５は、右の掻込回転パッカー７５Ｒと中央の掻込回転パッカー７５Ｃと左の掻込回転パッカー７５Ｌとを備えている。
【００４２】
エンジン（図示しない）からの動力は、刈取軸、第１伝動軸２２、第２伝動軸２４、第３伝動軸２６を介して右の駆動スプロケット４５Ｒに伝達され、右の駆動スプロケット４５Ｒが回転する。右の駆動スプロケット４５Ｒの回転駆動によって右の株元搬送チェーン７８Ｒが回転し、第２従動スプロケット７７が回転する。第２従動スプロケット７７の回転に連動して駆動プーリ８１および右の掻込回転パッカー７５Ｒが回転する。駆動プーリ８１の回転駆動によって突起付きベルト８３が回転する。
【００４３】
右の掻込回転パッカー７５Ｒと中央の掻込回転パッカー７５Ｃとの噛み合いによって右の掻込回転パッカー７５Ｒの回転に連動して中央の掻込回転パッカー７５Ｃおよび駆動プーリ８４が回転する。駆動プーリ８４の回転駆動によって突起付きベルト８６が回転する。
【００４４】
エンジンからの動力は、刈取軸、第１伝動軸２２、第２伝動軸２４、第６伝動軸３１を介して左の駆動スプロケット４５Ｌに伝達され、左の駆動スプロケット４５Ｌが回転する。左の駆動スプロケット４５Ｌの回転駆動によって左の株元搬送チェーン７８Ｌが回転し、従動スプロケット７９が回転する。従動スプロケット７９の回転に連動して駆動プーリ８７および左の掻込回転パッカー７５Ｌが回転する。駆動プーリ８７の回転駆動によって突起付きベルト８９が回転する。
【００４５】
前記植立作物の株元が、右の株元搬送チェーン７８Ｒにおける第２従動スプロケット７７の巻回部分（右の搬送始端部）から第１従動スプロケット７６の巻回部分（右の搬送終端部）までの右の搬送経路９０Ｒに沿って搬送され、左の株元搬送チェーン７８Ｌにおける従動スプロケット７９の巻回部分（左の搬送始端部）からチェーンガイド部８０の先端部分（左の搬送終端部）までの左の搬送経路９０Ｌに沿って搬送されて、中央側に合流する。植立作物の株元が、右の掻込回転パッカー７５Ｒ，中央の掻込回転パッカー７５Ｃ，および左の掻込回転パッカー７５Ｌによって掻き込まれ、突起付きベルト８３，８６，８９によって係止搬送される。
【００４６】
これにより、第１搬送装置７１は、刈取作物を中央側に合流させつつ後方に搬送して第１搬送装置７１の後方に位置する第２搬送装置７２に受け渡すように構成してある。
【００４７】
（第２搬送装置）
図２〜図６に示すように、第２搬送装置７２は、作物の株元側を挟持して搬送する挟持搬送機構９１と、作物の穂先側を係止して搬送する係止搬送機構９２を備えている。挟持搬送機構９１は、駆動スプロケット９３と第１従動スプロケット９４と、第２従動スプロケット９５と、それらスプロケット９３〜９５に亘って巻回された株元搬送チェーン９６とを備えている。係止搬送機構９２は、駆動スプロケット９７と従動スプロケット９８とそれらスプロケット９７，９８とに亘って巻回された突起付きチェーン９９とを備えている。
【００４８】
エンジンからの動力は、刈取軸、第７伝動軸７０を介して駆動スプロケット９３に伝達され、駆動スプロケット９３が回転する。駆動スプロケット９３の回転駆動によって株元搬送チェーン９６が回転する。駆動スプロケット９３の回転に連動して駆動スプロケット９７が回転する。駆動スプロケット９７の回転駆動によって突起付きチェーン９９が回転する。
【００４９】
植立作物の株元が、株元搬送チェーン９６における第２従動スプロケット９５の巻回部分（搬送始端部）から第１従動スプロケット９４の巻回部分（右の搬送終端部）までの搬送経路１００に沿って搬送され、植立作物の穂先が、突起付きチェーン９９によって係止搬送される。これにより、第２搬送装置７２は、植立作物を後方上方に搬送して、第２搬送装置７２の後方に位置するフィードチェーン１０１および脱穀装置５に受け渡すように構成してある。
【００５０】
（右のカバー）
図３，図５，図６に示すように、右の株元搬送チェーン７８Ｒにおける第１従動スプロケット７６の巻回部分から第２従動スプロケット７７の巻回部分への右の戻り経路１４８Ｒのうち、第１従動スプロケット７６の巻回部分から右の駆動スプロケット４５Ｒへの戻り経路部分の上方及び後方を覆う右のカバー１４９を設けてある。右のカバー１４９の右端部を、右の駆動スプロケット４５Ｒにおける膨出部４６とチャンネル部材４３との間に形成された右の開口４７Ｒ近傍に連結し、右のカバー１４９の左端部を、後側支持ブラケット１４６に連結してある。
【００５１】
具体的には、右のカバー１４９は、上面部１４９ａと後側面部１４９ｂとを備えて断面形状がＬ字状の長尺状に構成してある。上面部１４９ａの両端側に傾斜部１４９ｃが形成されている。右の傾斜部１４９ｃが膨出部４６の上面に載置支持されている。上面部１４９ａの右端側の前端部には、第１取付部材１５１が固定されている。第１取付部材１５１は、上面部１４９ａの右端側の前端部から前方に延びる固定部分と該固定部分から上方に延びる取付部分とを備えて、断面形状が略Ｌ字状に構成してある。第１取付部材１５１の取付部分と前ケース部４２Ａおよび後ケース部４２Ｂのフランジ部とチャンネル部材４３の折曲部分とをボルト４４により共締め固定してある。左の傾斜部１４９ｃが後側支持ブラケット１４６の上面に載置支持されている。後側面部１４９ｂの左端側の上端部には、矩形板状の第２取付部材１５２が固定されている。第２取付部材１５２は、後側面部１４９ｂの左端側の上端部から横側方に延びている。第２取付部材１５２の先端部は、後側支持ブラケット１４６にボルト連結されている。
【００５２】
（左のカバー）
左の株元搬送チェーン７８Ｌにおけるチェーンガイド部８０の先端部分から従動スプロケット７９の巻回部分への左の戻り経路１４８Ｌのうち、チェーンガイド部８０の先端部分から基端部分への戻り経路部分の上方及び後方を覆う左のカバー１５０を設けてある。左のカバー１５０の中間部を、左側支持ブラケット１４４の後端部にボルト連結し、左のカバー１５０の左端部を、左の駆動スプロケット４５Ｌにおける膨出部４６とチャンネル部材４３との間に形成された右の開口４７Ｌ近傍に連結してある。
【００５３】
具体的には、左のカバー１５０は、上面部１５０ａと後側面部１５０ｂとを備えて断面形状がＬ字状の長尺状に構成してある。上面部１５０ａの両端側に傾斜部１５０ｃが形成されている。上面部１５０ａの左端側の前端部には、第３取付部材１５３が固定されている。第３取付部材１５３は、上面部１５０ａの左端側の前端部から前方に延びる固定部分と該固定部分から上方に延びる取付部分とを備えて、断面形状が略Ｌ字状に構成してある。第３取付部材１５３の取付部分と前ケース部４２Ａおよび後ケース部４２Ｂのフランジ部とチャンネル部材４３の折曲部分とをボルト４４により共締め固定してある。左の傾斜部１５０ｃが膨出部４６の上面に載置支持されている。上面部１５０ａの右端側の前端部には、第４取付部材１５４が固定されている。第４取付部材１５４の先端部が左側支持ブラケット１４４の後端部の右側部分にボルト連結されている。
【００５４】
これにより、ワラ屑等が右および左の株元搬送チェーン７８Ｒ，７８Ｌにおける戻り経路１４８Ｒ，１４８Ｌの上面に付着することを防止でき、付着したワラ屑等が右および左の株元搬送チェーン７８Ｒ，７８Ｌによって右および左の駆動スプロケット４５Ｒ，４５Ｌまで搬送されて、ワラ屑等が右および左の駆動スプロケット４５Ｒ，４５Ｌに絡みつくことを防止できる等、刈取作物を良好に搬送することができる。
【００５５】
加えて、右のカバー１４９における右の傾斜部１４９ｃが膨出部４６の上面に載置支持されるとともに、左の傾斜部１４９ｃが後側支持ブラケット１４６の上面に載置支持されているので、膨出部４６と後側支持ブラケット１４６とに亘って右のカバー１４９が架設されることになり、右のカバー１４９を安定的に支持できる。加えて、膨出部４６と右のカバー１４９との隙間を無くして、ワラ屑等が右および左の株元搬送チェーン７８Ｒ，７８Ｌにおける戻り経路１４８Ｒ，１４８Ｌの上面に付着することを一層防止できる。
【００５６】
〔別実施形態〕
（１）右のカバー１４９を省略して左のカバー１５０のみを設けてもよく、あるいは、左のカバー１５０を省略して右のカバー１４９のみを設けてもよい。
【００５７】
（２）右の戻り経路１４８Ｒのうち、第１従動スプロケット７６の巻回部分から右の駆動スプロケット４５Ｒへの戻り経路部分の上方を覆う右のカバー１４９を設ける構成に加えて、右の戻り経路１４８Ｒのうち、右の駆動スプロケット４５Ｒから第２従動スプロケット７７の巻回部分への戻り経路部分の上方を覆う追加のカバーを設けてもよい。
【００５８】
（３）左の戻り経路１４８Ｌのうち、チェーンガイド部８０の先端部分から基端部分への戻り経路部分の上方を覆う左のカバー１５０を設ける構成に加えて、左の戻り経路１４８Ｌのうち、チェーンガイド部８０の基端部分から従動スプロケット７９の巻回部分への戻り経路部分の上方を覆う追加のカバーを設けてもよい。
【００５９】
（４）上部カラー３４および下部カラー３５を設ける構成に代えて、上部カラー３４のみを設けて、下部カラー３５を省略してもよく、あるいは、下部カラー３５のみを設けて、上部カラー３４を省略してもよい。
【００６０】
（５）右および左のカバー１４９，１５０は、断面形状がコ字状のチャンネル部材で構成してもよく、水平状の長尺状のフラットバーで構成してもよい。
【００６１】
（６）右のカバー１４９の上面部１４９ａの右端側の前端部に略Ｌ字状の第１取付部材１５１を固定する構成に代えて、右のカバー１４９の上面部１４９ａの右端側の前端部に上下向きの平板状の第１取付部材を固定し、その第１取付部材の先端部と前ケース部４２Ａおよび後ケース部４２Ｂのフランジ部とチャンネル部材４３の折曲部分とを共締め固定してもよい。あるいは、右のカバー１４９の上面部１４９ａの右端側の前端部を上方側に折り曲げて第１取付部材を形成し、その第１取付部材の先端部と前ケース部４２Ａおよび後ケース部４２Ｂのフランジ部とチャンネル部材４３の折曲部分とを共締め固定してもよい。
【００６２】
（７）左のカバー１５０の上面部１５０ａの左端側の前端部に略Ｌ字状の第３取付部材１５３を固定する構成に代えて、左のカバー１５０の上面部１５０ａの左端側の前端部に上下向きの平板状の第３取付部材を固定し、その第３取付部材の取付部分と前ケース部４２Ａおよび後ケース部４２Ｂのフランジ部とチャンネル部材４３の折曲部分とを共締め固定してもよい。あるいは、左のカバー１５０の上面部１５０ａの左端側の前端部を上方側に折り曲げて第３取付部材を形成し、その第３取付部材の先端部と前ケース部４２Ａおよび後ケース部４２Ｂのフランジ部とチャンネル部材４３の折曲部分とを共締め固定してもよい。
【００６３】
（８）上面部１５０ａの右端側の前端部に第４取付部材１５４を固定し、その第４取付部材１５４の先端部を左側支持ブラケット１４４の後端部の右側部分にボルト連結する構成に代えて、上面部１５０ａの右端側の前端部に第４取付部材を固定し、その第４取付部材の先端部をチェーンガイド部８０にボルト連結してもよい。
【産業上の利用可能性】
【００６４】
本発明は、刈取作物を中央側に合流させて搬送装置に受け渡すように構成した各種コンバインの刈取部に適応可能である。
【符号の説明】
【００６５】
１２Ｒ，１２Ｌ                    引起装置
２３                              刈取部フレーム
２５                              カウンタケース
２６，３１                        引起伝動軸
２７Ｒ，２７Ｌ                    伝動ケース
３４，３５                        カラー
４２Ａ                            前ケース部（第１ケース部）
４２Ｂ                            後ケース部（第２ケース部）
４４                              ボルト（連結具）
４５Ｒ，４５Ｌ                    駆動スプロケット
４７Ｒ，４７Ｌ                    開口
７２                              搬送装置
７８Ｒ，７８Ｌ                    株元搬送チェーン
９０Ｒ，９０Ｌ                    搬送経路
１４８Ｒ，１４８Ｌ                戻り経路
１４９，１５０                    カバー
【図１】
0005480698.tif 000002
【図２】
0005480698.tif 000003
【図３】
0005480698.tif 000004
【図４】
0005480698.tif 000005
【図５】
0005480698.tif 000006
【図６】
0005480698.tif 000007
【図７】
0005480698.tif 000008
【図８】
0005480698.tif 000009
【図９】
0005480698.tif 000010